(57)【要約】【課題】外形や寸法が異なる案内部材を容易かつ簡単に交換することができ、作業性の向上を図るようにした案内部材を有する。【解決手段】ソケット本体と、該ソケット本体に取外し自在に取付けられる案内部材とを有するＩＣソケットにおいて、前記案内部材を前記ソケット本体に取付けるためのフックと受け部とから形成される係合手段を有し、前記フックと前記受け部との少なくとも一方がテーパ形状であることを特徴とする。【選択図】　　　　図１
2004063105.tif 000002
【特許請求の範囲】
【請求項１】
ソケット本体と、該ソケット本体に取外し自在に取付けられる案内部材とを有するＩＣソケットにおいて、
前記案内部材を前記ソケット本体に取付けるためのフックと受け部とから形成される係合手段を有し、前記フックと前記受け部との少なくとも一方がテーパ形状であることを特徴とするＩＣソケット。
【発明の詳細な説明】
【０００１】
【発明の属する技術分野】
本発明は、案内部材を有するＩＣソケットに係わるもので、特に、ＩＣソケットに用いられる交換自在な案内部材を有するＩＣソケット自体に関するものである。
【０００２】
【従来の技術】
従来、電気部品としてのＩＣパッケージ等を検査する検査装置のＩＣソケットにおいては、ソケット本体に取外し自在に取付けられる案内部材にＩＣパッケージが搭載されたＩＣソケットが知られている。
【０００３】
【発明が解決しようとする課題】
従来のこのようなＩＣソケットにおいて、外形や寸法が異なるＩＣパッケージに対応する案内部材を別の案内部材と交換する場合に、案内部材をソケット本体から取外して案内部材を交換することは困難であり、時間がかかり作業性が悪い。
【０００４】
特に、このような従来のＩＣソケットは、ソケット本体に着脱自在に取付けられる案内部材との連結手段を、互いに噛合い係合するフックと受け部とによって形成しており、これらフックと受け部が両部材の操作方向に対してほぼ直角な方向にフラットな面を形成しているので、受け部に対してフックが横方向に完全に移動して離れることによって取外しできるものである。従って、ソケット本体から案内部材を外すためには、操作が厄介で難しい等の問題が伴なうものである。
【０００５】
従って、本発明の目的は、このような従来における問題を解決するために、外形や寸法が異なる案内部材を容易かつ簡単に交換することができ、作業性の向上を図るようにした案内部材を有するＩＣソケットを提供することにある。
【０００６】
【課題を解決するための手段】
上述の目的を達成するために、本発明のＩＣソケットは、ソケット本体と、該ソケット本体に取外し自在に取付けられる案内部材とを有するＩＣソケットにおいて、前記案内部材を前記ソケット本体に取付けるためのフックと受け部とから形成される係合手段を有し、前記フックと前記受け部との少なくとも一方がテーパ形状であることを特徴とする。
【０００７】
また、本発明のＩＣソケットの実施例では、前記ソケット本体に設けられる前記受け部がテーパ形状であることを特徴とする。
【０００８】
さらに、本発明のＩＣソケットの他の実施例では、前記案内部材に設けられる前記フックがテーパ形状であることを特徴とする。
【０００９】
本発明のその他の目的や特徴および利点は、添付図面に示される本発明の実施形態についての以下の詳細な説明から明らかである。
【００１０】
【発明の実施の形態】
（実施例１）
図１乃至図３は、本発明におけるＩＣソケットの実施例１を図示、説明するためのＩＣソケットを示す中央縦断面図および説明図で、図１は中央縦断面図、図２は図１のＩＣソケットの係合手段を示す断面拡大部分図で、図３は図２の係合手段の外れる状態を示す同様な断面拡大部分図である。
【００１１】
図１および図２に示されるように、本発明が適用されるＩＣソケット１は、プリント基板（図示しない）等に固着されたり、あるいは単体で用いられるソケット本体２と、このソケット本体２に取外し自在に取付けられる案内部材３とを有し、ソケット本体２に対して案内部材３が係合手段５を介して着脱自在に取付け、取外しできるように構成されている。案内部材３には外形や寸法が異なるＩＣパッケージ４が装着されており、対応する外形および寸法のＩＣパッケージ４を装着するために案内部材３を別のものと交換することがしばしば必要とされる。従って、ソケット本体２に対して案内部材３を取外し易くすることで、案内部材３の交換のための作業性の向上を図ることが特に好適である。このために、案内部材３はソケット本体２に対して係合手段５を介して取外し自在に取付けられるように構成されている。
【００１２】
本発明においては、係合手段５は、案内部材３に形成されるフック７と、ソケット本体２に形成される受け部８とから構成されており、いずれか一方あるいは両方にテーパが付けられるようになっている。
【００１３】
本発明において、案内部材３は、下面の両側に下方に突出して延びる弾性変位可能な、少なくとも一対のアーム部６を有し、その下端部分に鉤形のフック７が設けられており、このフック７に対応してフック７が係合できるようにソケット本体２に同様な突出して係合する受け部８が設けられている。本実施例では、案内部材３のフック７にテーパが付けられてテーパ面１０が設けられており、対応するソケット本体２の受け部８は、図示において水平方向に平坦に延びる平面部分を形成しており、案内部材３を外す際に上方に図１に矢印で示す方向に案内部材３を引っ張ると、フック７がテーパ面１０に倣って横方向内側に逃げるために突出した受け部８からフック７を容易に外すことが出来る。従って、所要する外形および寸法のＩＣパッケージ４を装着するための別の新しい案内部材３をソケット本体２に取付けることができる。
【００１４】
このように、本発明が適用されるＩＣソケット１は、ソケット本体２がねじのような固着部材等によってプリント基板に固着されたり、あるいは単体で用いられ、このソケット本体２にフック６と受け部７を含む係合手段５によってソケット本体２に案内部材３が着脱自在に装着され、外形や寸法が異なるＩＣパッケージ４を装着するための案内部材３をソケット本体２に対して容易に交換することができる。
【００１５】
上述したように構成された本発明のＩＣソケット１において、汚れや損傷、または他の何等かの理由によって所要する外形および寸法のＩＣパッケージ４を装着するための案内部材３を交換する場合には、図示されるように、先ず、ＩＣパッケージ４を案内部材３から取り出し、その後に、ソケット本体２に対して案内部材３を上方に引き上げるだけで、フック７がテーパ面１０に沿って受け部８に対して内側に逃げるために、アーム部６の弾性に伴なってアーム部６が内側に弾性変位するために係合手段５としてのアーム部６が内側に向って弾性変位して係合部分であるフック７が受け部８から離脱されて、ソケット本体２に対して案内部材３を続けて上方に引き上げれば、アーム部６の先端のフック７が、ソケット本体２の錠止爪である受け部８から離れて係合が解除されるので、ＩＣパッケージ４を装着するための案内部材３を上方に引き出して交換することができる。
【００１６】
こうして、ＩＣパッケージ４を先ず案内部材３から取り出した後に、ソケット本体２に対して案内部材３を上方に引き出して交換することができるので、交換すべき新たな案内部材３をソケット本体２に対して挿入して組み入れることによって、ソケット本体２の係合手段５の受け部８に案内部材３のフック７が係合されてソケット本体２に対して案内部材３が係止されて固持されるので、新たなＩＣパッケージ４を装着するための案内部材３がソケット本体２に組み込むことができ、案内部材３の交換を簡単に行うことができる。さらに、フック７と受け部８の間に図２に示される如くに若干のクリアランスＳを設けると、ソケット本体２に案内部材３を嵌め込んで取付けた後の安定性を良好に維持することができ好適である。
【００１７】
（実施例２）
上述のように構成された本発明の実施例１のＩＣソケットにおいて、必要に応じて、先の実施例１の案内部材のフックにテーパを付ける代わりに、ソケット部材の受け部にテーパが付けられた実施例２が図４および図５に示されている。
【００１８】
図４および図５に示されるように、本発明におけるＩＣソケットの実施例２において、ＩＣソケット１ａは、プリント基板（図示しない）に固着されたり、あるいは単体で用いられるソケット本体２ａと、このソケット本体２ａに取外し自在に取付けられる案内部材３ａとを有し、ソケット本体２ａに対して案内部材３ａが係合手段５ａを介して着脱自在に取付け、取外しできるように構成されている。案内部材３ａには外形や寸法が異なるＩＣパッケージ４ａが装着されており、対応する外形および寸法のＩＣパッケージ４ａを装着するために案内部材３ａを別のものと交換することがしばしば必要とされる場合がある。
【００１９】
従って、ソケット本体２ａに対して案内部材３ａを取外し易くして、案内部材３ａの交換のための作業性の向上を図ることが特に好適である。このために、案内部材３ａはソケット本体２ａに対して係合手段５ａを介して取外し自在に取付けられるように構成されている。
【００２０】
本実施例において、係合手段５ａは、案内部材３ａのアーム部６ａの先端部分に形成されたフック７ａと、ソケット本体２ａに形成された受け部８ａとから構成されており、ソケット本体２ａの受け部８ａの方にテーパが付けられてテーパ面１０ａが設けられている。
【００２１】
本発明において、案内部材３ａは、下面の両側に下方に突出して延びる弾性変位可能な一対のアーム部６ａを有し、その下端部分に鉤形のフック７ａが設けられており、このフック７ａに対応してフック７ａが係合できるようにソケット本体２ａに同様な突出して係合する受け部８ａが設けられている。本実施例では、ソケット本体２ａの受け部８ａにテーパが付けられてテーパ面１０ａが設けられており、案内部材３ａのフック７ａは、係合部分が図示において水平方向に平坦に延びる平面部分を形成しており、案内部材３ａを外す際に上方に図４に矢印で示す方向に案内部材３ａを引っ張ると、フック７ａがテーパ面１０ａに倣って横方向内側に逃げるために突出した受け部８ａからフック７ａを容易に外すことが出来るように形成されている。従って、所要する外形および寸法のＩＣパッケージ４ａを装着するための別の新しい案内部材３ａをソケット本体２ａに取付けて交換することができる。
【００２２】
このように、本発明が適用されるＩＣソケット１ａは、ソケット本体２ａがねじ等のような固着部材によってプリント基板に固着されたり、あるいは単体で用いられ、このソケット本体２ａにフック６ａと受け部７ａを含む係合手段５ａによってソケット本体２ａに案内部材３ａが着脱自在に装着され、外形や寸法が異なるＩＣパッケージ４ａを装着するための案内部材３ａをソケット本体２ａに対して容易に交換することができる。さらに、フック７ａと受け部８ａの間には、図５に示されるように若干のクリアランスＳを設けると、ソケット本体２ａに案内部材３ａを嵌め込んで取付けた後の安定性を良好に維持することができ好適である。
【００２３】
上記のように構成された本発明が適用されるＩＣソケット１、１ａにおいて、ソケット本体２、２ａに装着された案内部材３、３ａを交換するには、先ず、ＩＣパッケージ４、４ａを案内部材３、３ａから取り出しておいた後に、案内部材３、３ａを上方に引っ張るだけで案内部材３、３ａのアーム部６、６ａの先端のフック７、７ａが、ソケット本体２、２ａの受け部８、８ａに対して容易に外れるように構成されており、案内部材３、３ａを上方に引き出して取外すので、所要のＩＣパッケージを装着するための案内部材３、３ａを容易かつ簡単に交換することができ、しかも簡単に行うことができるので時間を短縮でき、作業性の向上を図ることができる。こうして、新たな案内部材３、３ａと交換したならば、対応する外形および寸法のＩＣパッケージ４、４ａを案内部材３、３ａに装着すれば良い。
【００２４】
【発明の効果】
以上説明したように、本発明の請求項１記載のＩＣソケットは、ソケット本体と、該ソケット本体に取外し自在に取付けられる案内部材とを有するＩＣソケットにおいて、前記案内部材を前記ソケット本体に取付けるためのフックと受け部とから形成される係合手段を有し、フックと受け部との少なくとも一方がテーパ形状であるので、案内部材を交換するには、案内部材を上方に引っ張るだけで案内部材のアーム部の先端のフックが、ソケット本体の受け部に対して容易に外れるように構成されており、案内部材を上方に引き出して取外すので、所要のＩＣパッケージを装着するための案内部材を容易かつ簡単に交換することができ、しかも簡単に交換を行うことができるので時間を短縮できるし、作業性の向上を図ることができる。
【００２５】
本発明の実施例であるＩＣソケットは、ソケット本体に設けられる受け部がテーパ形状なので、簡単な手段で案内部材を取外すことができると共に、安価に製作することができる。
【００２６】
本発明の他の実施例であるＩＣソケットは、案内部材に設けられるフックがテーパ形状なので、簡単な手段で案内部材を取外すことができると共に、安価に製作することができる。
【図面の簡単な説明】
【図１】本発明の実施例１におけるＩＣソケットの中央縦断面図である。
【図２】図１のＩＣソケットの係合手段の拡大断面部分図である。
【図３】図２の係合手段の外れる状態を示す同様な断面拡大部分図である。
【図４】本発明の実施例２におけるＩＣソケットの中央縦断面図である。
【図５】図４のＩＣソケットの係合手段の拡大断面部分図である。
【符号の説明】
１　　　ＩＣソケット
１ａ　　ＩＣソケット
２　　　ソケット本体
２ａ　　ソケット本体
３　　　案内部材
３ａ　　案内部材
４　　　ＩＣパッケージ
４ａ　　ＩＣパッケージ
５　　　係合手段
５ａ　　係合手段
６　　　アーム部
６ａ　　アーム部
７　　　フック
７ａ　　フック
８　　　受け部
８ａ　　受け部
１０　　テーパ面
１０ａ　テーパ面
【図１】
2004063105.tif 000003
【図２】
2004063105.tif 000004
【図３】
2004063105.tif 000005
【図４】
2004063105.tif 000006
【図５】
2004063105.tif 000007